(57)【要約】【課題】  携帯電話機・デジタルカメラ等の撮影レンズの前方での補助レンズ具の着脱が容易で、しかも補助レンズ具の取付状態において撮影レンズ前方での補助レンズ具自体の緩みによる光軸ズレを未然に防止できるようにする。【解決手段】  カメラ機能付き携帯電話機・デジタルカメラＰ等の撮影レンズＱ前方に一端の補助レンズ６を固定し、携帯電話機・デジタルカメラＰの撮影レンズＱ位置に対応した反対側に他端を当接保持して全体が略２点支持となるようクリップばね構造の固定手段２を備える。固定手段２は、ばね性を有する略Ｃリング状のアーム部３と、撮影レンズＱ前方に光軸に合致した状態で当接可能となるようアーム部３の一端に設けた補助レンズ装着部４と、撮影レンズＱ位置に対応した反対側に当接保持すべくアーム部３の他端に設けた支持部５とを備えて成る。【選択図】      図１
0003107025.tif 000002
【実用新案登録請求の範囲】
【請求項１】
撮像素子を備えたカメラ機能によって画像を撮影し、この撮影データを送信することが可能なカメラ機能付き携帯電話機・デジタルカメラ等の補助レンズ具であって、携帯電話機・デジタルカメラの撮影レンズ前方に一端の補助レンズが固定され、携帯電話機・デジタルカメラの撮影レンズ位置に対応した反対側に他端が当接保持されて全体が略２点支持となるようクリップばね構造の固定手段を備えたことを特徴とするカメラ機能付き携帯電話機・デジタルカメラ等の補助レンズ具。
【請求項２】
固定手段は、ばね性を有する略Ｃリング状のアーム部と、撮影レンズ前方に光軸に合致させた状態で当接可能となるようアーム部の一端に設けられた補助レンズ装着部と、撮影レンズ位置に対応した反対側に当接保持されるようアーム部の他端に設けられた支持部とを備えて成る請求項１記載のカメラ機能付き携帯電話機・デジタルカメラ等の補助レンズ具。
【請求項３】
固定手段は、ポリカーボネート等のプラスチックまたは金属の一体成形によって形成されて成る請求項１または２記載のカメラ機能付き携帯電話機・デジタルカメラ等の補助レンズ具。
【請求項４】
補助レンズ装着部には、接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等の補助レンズを装着したレンズ枠を着脱可能とした請求項２または３のいずれかに記載のカメラ機能付き携帯電話機・デジタルカメラ等の補助レンズ具。
【請求項５】
補助レンズ装着部には、補助レンズ装着したレンズ枠自体が補助レンズ装着部内で光軸の廻りに回転可能となるよう当該レンズ枠を３点支持させる３つの突起部を備えた請求項２乃至４のいずれかに記載のカメラ機能付き携帯電話機・デジタルカメラ等の補助レンズ具。
【請求項６】
補助レンズを装着したレンズ枠、アーム部一端の支持部それぞれには、ＰＶＣ・シリコンゴム・ウレタンゴム等の軟質な合成樹脂製材によって形成された滑り止めリングを付設してある請求項２乃至５のいずれかに記載のカメラ機能付き携帯電話機・デジタルカメラ等の補助レンズ具。
【考案の詳細な説明】
【技術分野】
【０００１】
本考案は、例えば撮影レンズ、およびＣＣＤ等で構成された撮像素子を備えたデジタルカメラ等の機能によって画像を撮影し、しかもこの撮影データを送信することが可能なカメラ機能付き携帯電話機・デジタルカメラ等の補助レンズ具に関する。
に関する。
【背景技術】
【０００２】
従来、この種の携帯電話機としては、ズーム・旅モードを利用したり、フレーム、タイマー、圧縮形式、シャッター音、画像効果の設定や、画像の明るさを５段階に調節したりする機能を備えている。また、撮影サイズの変更やロングメールに添付して送信でき、しかも撮影した画像は機器内のアルバム登録機能にＪＰＥＧ形式もしくはＰＮＧ形式等でデータ保存して確認自在としたり、デイスプレイ上の壁紙として利用したりできる構成となっている。また、撮影レンズとして例えば撮影した画像をデイスプレイに表示可能としたモバイルカメラを備えている。このとき、撮影画像が表示されるＣＣＤ等の撮像素子によるデイスプレイ自体が１００万画素以上の例えば２００万〜３００万画素に改良されたのに伴い、撮影レンズとして例えば接写用レンズ（マクロレンズ），広角用レンズ，テレ用レンズ等が使用されることが可能となった。
【特許文献１】特になし
【考案の開示】
【考案が解決しようとする課題】
【０００３】
しかしながらこのような従来における携帯電話機では、撮影レンズ自体に接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等が無いため、これらの機能を備えた例えば直径約８．５ミリの外付け用の補助レンズ具を撮影レンズ前方に装着する等の措置が採られていた。なおここで、プリズム状フィルタとは、ガラス板表面に複数の斜面を設けその斜面数に対応する数の像を得るフィルタである。クロス効果フィルタとは像の輝点に相当する点に十字等の輝線を発生させるフィルタである。ＰＬフィルタは偏光フィルムの意味で用いている。                        
【０００４】
従来では補助レンズ具を撮影レンズ側にねじ込むために撮影レンズ枠自体に雌ネジを形成したり、あるいは補助レンズ具周囲に貼着した両面粘着テープを介して撮影レンズ前方に当該補助レンズ具を取り付けたりする方法がある。また磁気吸引力を利用する方法も提案されている。
しかしながら、撮影レンズ枠自体に雌ネジを形成する場合では、撮影レンズ枠自体の肉厚が薄いため、雌ネジの形成が非常に困難である。また、両面粘着テープを使用する場合では、何回も着脱使用することができず、しかも撮影レンズ周囲が粘着材の付着によって汚れてしまう等の問題点を有していた。
【０００５】
そこで本考案は、上記従来技術の問題点を解決したもので、携帯電話機・デジタルカメラ等の撮影レンズの前方に補助レンズ具を容易に取り付けたり取り外したりできるカメラ機能付き携帯電話機・デジタルカメラ等の補助レンズ具を提供することを目的とする。
しかも補助レンズ具が取り付けられた状態において撮影レンズ前方で補助レンズ具自体が緩んでズレてしまうことなく確実に固定配置できるようにする。
さらに補助レンズとして、例えば接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等を使用することが可能で、しかも安価に製作できるものとしたカメラ機能付き携帯電話機・デジタルカメラ等の補助レンズ具を提供することを目的とする。
【課題を解決するための手段】
【０００６】
上記した目的を達成するために、請求項１記載の考案は、撮像素子を備えたカメラ機能によって画像を撮影し、この撮影データを送信することが可能なカメラ機能付き携帯電話機・デジタルカメラＰ等の補助レンズ具１であって、携帯電話機・デジタルカメラＰの撮影レンズＱ前方に一端の補助レンズ６が固定され、携帯電話機・デジタルカメラＰの撮影レンズＱ位置に対応した反対側に他端が当接保持されて全体が略２点支持となるようクリップばね構造の固定手段２を備えたことを特徴とする。
また、請求項２記載の考案は、固定手段２は、ばね性を有する略Ｃリング状のアーム部３と、撮影レンズＱ前方に光軸に合致させた状態で当接可能となるようアーム部３の一端に設けられた補助レンズ装着部４と、撮影レンズＱ位置に対応した反対側に当接保持されるようアーム部３の他端に設けられた支持部５とを備えて成ることを特徴とする。
また、請求項３記載の考案は、固定手段２は、ポリカーボネート等のプラスチックまたは金属の一体成形によって形成されて成ることを特徴とする。
また、請求項４記載の考案は、補助レンズ装着部４には、接写用レンズ（マクロレンズ），広角用レンズ，テレ用レンズ等のレンズ機能，さらにはプリズム状フィルタ，クロス効果フィルタ．ＰＬフィルタ等のフィルタレンズ機能等の補助レンズ６を装着したレンズ枠６Ａを着脱可能としていることを特徴とする。
また、請求項５記載の考案は、補助レンズ装着部４には、補助レンズ６を装着したレンズ枠６Ａ自体が補助レンズ装着部４内で光軸の廻りに回転可能となるよう当該レンズ枠６Ａを３点支持させる３つの突起部７を備えたことを特徴とする。
また、請求項６記載の考案は、補助レンズ６を装着したレンズ枠６Ａ、アーム部３一端の支持部５それぞれには、ＰＶＣ・シリコンゴム・ウレタンゴム等の軟質な合成樹脂製材によって形成された滑り止めリング８を付設してあることを特徴とする。
【０００７】
以上のように構成された本考案に係るカメラ機能付き携帯電話機・デジタルカメラＰ等の補助レンズ具１にあって、補助レンズ具１のばね性を有する略Ｃリング状のアーム部３の一端における補助レンズ装着部４に、接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等の補助レンズ６を装着させる。
携帯電話機・デジタルカメラＰの撮影レンズＱ前方に補助レンズ６が固定配置され、携帯電話機・デジタルカメラＰの撮影レンズＱ位置に対応した反対側にアーム部３の他端における支持部５が当接保持されて全体が略２点支持となる。
これにより撮影レンズＱ前方で補助レンズ具１自体が緩んで光軸ズレが生じてしまうことなく確実に固定配置できるものとなり、しかもばね性を有する略Ｃリング状のアーム部３による固定手段２でもって、撮影レンズＱの前方において補助レンズ具１１の着脱が容易なものとなるため、何回もの取り付け、取り外しが可能となる。
【考案の効果】
【０００８】
本考案によれば、携帯電話機・デジタルカメラＰ等の撮影レンズＱの前方に補助レンズ具１を容易に取り付けたり取り外したりでき、しかも補助レンズ具１が取り付けられた状態において撮影レンズＱ前方で補助レンズ具１自体が緩んでズレてしまうことなく確実に固定配置できるようにする。さらに補助レンズ６として、例えば接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等を使用することが可能で、しかも安価に製作できる。
【０００９】
すなわち、本考案は、携帯電話機・デジタルカメラＰの撮影レンズＱ前方に一端の補助レンズ６が固定され、携帯電話機・デジタルカメラＰの撮影レンズＱ位置に対応した反対側に他端が当接保持されて全体が略２点支持となるようクリップばね構造の固定手段２を備えたので、携帯電話機・デジタルカメラＰに対する余計な接触部分が無くても、撮影レンズＱ前方で補助レンズ具１自体を確実且つ安定に固定配置することができる。
【００１０】
また、固定手段２は、ばね性を有する略Ｃリング状のアーム部３と、撮影レンズＱ前方に光軸に合致させた状態で当接可能となるようアーム部３の一端に設けられた補助レンズ装着部４と、撮影レンズＱ位置に対応した反対側に当接保持されるようアーム部３の他端に設けられた支持部５とを備えたので、アーム部３のばね性に基づいて撮影レンズＱ前方で補助レンズ具１自体をしっかりと固定保持することができ、しかも携帯電話機・デジタルカメラＰの１０〜３０ｍｍの厚みにも対応して容易に装着することができる。
【００１１】
また、固定手段２は、ポリカーボネート等のプラスチックまたは金属の一体成形によって形成されて成るので、強固なばね性を備えた補助レンズ具１を容易で且つ安価に作製することができる。
【００１２】
また、補助レンズ装着部４には、接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等の補助レンズ６を装着したレンズ枠６Ａを着脱可能としているので、携帯電話機・デジタルカメラＰに補助レンズ具１を装着させるだけで、撮影レンズＱ自体に接写用レンズ（マクロレンズ），広角用レンズ，テレ用レンズ等のレンズ機能、さらにはプリズム状フィルタ，クロス効果フィルタ，ＰＬフィルタ等のフィルタレンズ機能等を容易に付与させることができる。
【００１３】
また、補助レンズ装着部４には、補助レンズ６を装着したレンズ枠６Ａ自体が補助レンズ装着部４内で光軸の廻りに回転可能となるよう当該レンズ枠６Ａを３点支持させる３つの突起部７を備えたので、補助レンズ６自体を補助レンズ装着部４内で光軸の廻りに容易に回転させることができる。
【００１４】
また、レンズ枠６Ａ、支持部５それぞれには、ＰＶＣ・シリコンゴム・ウレタンゴム等の軟質な合成樹脂製材によって形成された滑り止めリング８，滑り止めカバー１０を付設してあるので、携帯電話機・デジタルカメラＰに対し、補助レンズ具１自体をしっかりと固定させておくことができる。
携帯電話機・デジタルカメラＰの撮影レンズＱの撮影レンズ部の厚さは千差万別であり、一種類の補助具では対応できないので、厚さに関係しない特殊な方法（粘着テープや、磁気の利用）が用いられていたが、本発明の弾力を利用する構成では、調整等は一切不要で広範な厚みの変化に対応できる。
【考案を実施するための最良の形態】
【００１５】
以下図面を参照して本考案を実施するための最良の一形態を説明すると、図において示される符号１は、撮影レンズＱおよびＣＣＤ等で構成された撮像素子を備えたデジタルカメラ機能によって画像を撮影し、この撮影データを送信することが可能なカメラ機能付き携帯電話機、またはデジタルカメラの撮影レンズＱに対し、取り付け、取り外し可能な補助レンズ具である。この補助レンズ具１は、図１に示すように、携帯電話機・デジタルカメラＰの撮影レンズＱ前方に一端の補助レンズ６が固定配置され、携帯電話機・デジタルカメラＰの撮影レンズＱ位置に対応した反対側に他端が当接保持されて全体が略２点支持となるようクリップばね構造の固定手段２を備えている。
【００１６】
すなわち、図２に示すように、補助レンズ具１における固定手段２は、例えばポリカーボネート等のプラスチック材、または金属材を例えば金型によるプレス成形等により一体形成されていて、拡開乃至閉塞方向の外力に対してばね弾性による復元機能を付与すべく帯板状のものを略Ｃリング状に形成して成るアーム部３と、撮影レンズＱ前方に光軸に合致させた状態で当接可能となるためにアーム部３の一端に設けられた先端開放の略円形枠状に形成された補助レンズ装着部４と、アーム部３のばね性に基づいて、撮影レンズＱ位置に対応した反対側に当接保持されるためにアーム部３の他端に設けられた板片突起状の支持部５とによって構成されている。尚、アーム部３を帯板状とする代わりに、棒状もしくは線状に形成しても良い。
【００１７】
補助レンズ装着部４は、補助レンズ６を装着した円筒状のレンズ枠６Ａを、当該レンズ枠６Ａに形成されている環状の溝部６Ｂを介して着脱可能となるよう内周縁側が円形段差状に形成されており、しかもこの内周縁に沿っての先端開放された両端部分と、アーム部３に近接した内周縁中央部分には、図２に示すように、装着されたレンズ枠６Ａを３点で支持させるための半円柱状の３つの突起部７を備え、当該レンズ枠６Ａ自体が補助レンズ装着部４内で光軸の廻りに自由に回転可能となるようしてある。
【００１８】
この補助レンズ装着部４には、例えば接写用レンズ（マクロレンズ），広角用レンズ，テレ用レンズ等の各種のレンズ、さらにはプリズム状フィルタ，クロス効果フィルタ，ＰＬフィルタ等の各種のフィルタレンズ等の補助レンズ６を装着した筒状のレンズ枠６Ａを着脱可能としてある。
【００１９】
携帯電話機・デジタルカメラＰの撮影レンズＱ前方に配置される補助レンズ６の接触対応部分であるレンズ枠６Ａ下側の内周縁は略円形段差状に形成され、ここに例えばＰＶＣ・シリコンゴム・ウレタンゴム等の軟質な合成樹脂製材によって形成された環状の滑り止めリング８を、一部が若干外側に露出するように例えば接着剤等でもって貼着してある。さらに、アーム部３の他端に設けられた板片突起状の支持部５にも例えばＰＶＣ・シリコンゴム・ウレタンゴム等の軟質な合成樹脂製材によって形成されたキャップ状の滑り止めリング８を接着剤等でもって貼着してある。
【００２０】
図３（ｃ）に示すように、補助レンズ具１の支持部５側には、アーム部３の湾曲形状から折り返すようにアーム状の操作突起９を設け、この操作突起９を補助レンズ装着部４から離反するように手指で引っ張ることで簡単に補助レンズ具１を携帯電話機・デジタルカメラＰの撮影レンズＱ前方に装着できるようにしても良い。
【００２１】
次に、本考案に係る補助レンズ具１の使用方法について説明すると、先ず、図２に示すように、補助レンズ具１のアーム部３一端における補助レンズ装着部４の先端開放側から、接写用レンズ（マクロレンズ），広角用レンズ，テレ用レンズ等のレンズ、あるいはプリズム状フィルタ，クロス効果フィルタ，ＰＬフィルタ等のフィルタレンズ等の補助レンズ６を装着したレンズ枠６Ａを溝部６Ｂを介して装着する。
【００２２】
図１に示すように、補助レンズ具１の固定手段２であるアーム部３を若干拡開させて携帯電話機・デジタルカメラＰを挟み込むように装着し、携帯電話機・デジタルカメラＰの撮影レンズＱ前方に、補助レンズ６を装着したレンズ枠６Ａを固定配置させる。また、携帯電話機・デジタルカメラＰの撮影レンズＱ位置に対応した反対側にアーム部３の他端における支持部５を当接保持させる。
【００２３】
こうして携帯電話機・デジタルカメラＰに対し、補助レンズ具１全体が略２点支持となって装着され、撮影レンズＱ前方で補助レンズ具１自体が緩んで光軸ズレが生じてしまうことなく確実に固定配置できるものとなる。しかもばね性を有する略Ｃリング状のアーム部３による固定手段２によって、撮影レンズＱの前方において補助レンズ具１１の着脱が容易なものとなるため、何回もの取り付け、取り外しが可能となる。
【００２４】
また、装着されたレンズ枠６Ａを３点で支持する３つの突起部７によって、当該レンズ枠６Ａ自体は補助レンズ装着部４内で光軸の廻りに容易に回転させることができ、特にプリズム状フィルタ，クロス効果フィルタ，ＰＬフィルタ等のフィルタレンズ等の補助レンズ６を装着したレンズ枠６Ａを必要に応じて自由に回転させることができる。
【００２５】
尚、本考案に係る補助レンズ具１の他の実施の形態としては、図３（ａ）、図３（ｂ）に示すように、帯板状または、棒状もしくは線状のものを略Ｃリング状に形成して成るアーム部３の両端側に、先端開放の略円形枠状に形成された補助レンズ装着部４を対称配置させることで、いずれか一方の補助レンズ装着部４を使用可能とし、いずれか他方の補助レンズ装着部４を支持部５として代替させることによって補助レンズ具１の使い勝手を良くすることができる。
【図面の簡単な説明】
【００２６】
【図１】本考案を実施するための最良の形態を示すもので、（ａ）は補助レンズ具を携帯電話機の撮影レンズ前方に装着した状態の斜視図、（ｂ）は同じく側面図である。
【図２】同じく補助レンズ具の使用方法を説明する分解斜視図である。
【図３】補助レンズ具の他の実施の形態を示すもので、（ａ）は帯板両側対称の場合の斜視図、（ｂ）は棒状両側対称の場合の斜視図、（ｃ）は操作突起を設けた場合の斜視図である。
【符号の説明】
【００２７】
Ｐ  携帯電話機・デジタルカメラ
Ｑ  撮影レンズ
１  補助レンズ具
２  固定手段
３  アーム部
４  補助レンズ装着部
５  支持部
６  補助レンズ
６Ａ  レンズ枠
６Ｂ  溝部
７  突起部
８  滑り止めリング
９  操作突起
１０  滑り止めカバー
【図１】
0003107025.tif 000003
【図２】
0003107025.tif 000004
【図３】
0003107025.tif 000005